(57)【要約】【課題】エレベータの点検作業後、作業員が点検スイッチを切り忘れても、監視センターからの切替指令により自動で点検スイッチを切って運転モードに復帰可能なエレベータ監視システムを提供する。【解決手段】エレベータ１１の点検作業後、作業員が点検スイッチ２７を切り忘れた場合には、点検スイッチ２７がＯＮとなり運転モードから点検モードに切り替ってから所定時間経過後に、サーバ１４の運転モード復帰手段３４から点検スイッチ２７をＯＦＦとする運転モード復帰信号が出力され、点検スイッチ２７が運転モードに切り替わる。これにより、作業員が点検スイッチ２７を切り忘れても、作業員が現場に引き返すことなく、エレベータ監視システム１０をエレベータ１１の監視が可能な運転モードに復帰させることができる。【選択図】図１
2020011808.tif 000002
【特許請求の範囲】
【請求項１】
エレベータの制御装置と、前記エレベータの運転状況を監視する監視センターのサーバとが、インターネット回線を通して接続されたエレベータ監視システムにおいて、
前記制御装置は、前記エレベータを運転モードから点検モードに切り替える点検スイッチを有し、
前記監視センターは、前記点検スイッチがＯＮとなり運転モードから点検モードに切り替ってから所定時間経過後に当該点検スイッチをＯＦＦとする運転モード復帰信号を出力する運転モード復帰手段を備えたエレベータ監視システム。
【請求項２】
前記エレベータの制御装置は、そのエレベータが設置された建造物のＬＡＮを介して前記インターネット回線に接続された請求項１に記載のエレベータ監視システム。
【発明の詳細な説明】
【技術分野】
【０００１】
この発明はエータ監視システム、詳しくはエレベータの運転状況を遠隔地で監視するエレベータ監視システムに関する。
【背景技術】
【０００２】
近年のエレベータには、監視センターで運転状況を監視するエレベータ監視システムが配備されている（例えば、特許文献１など）。このシステムにより、各地のビルや建物に設けられた多数のエレベータを集中管理することができ、各エレベータの故障、不具合などが発生したときに迅速な対処が可能となる。
【０００３】
ところで、エレベータの点検作業時には、エレベータを監視システムから切り離し、運転モード（監視モード）から点検モードに変更する必要がある。その理由は、この点検作業では、乗りかご内の操作ボックスに配された、通常運転時には使用しない各種のスイッチを操作する場合があり、その際にエレベータ監視システムが各スイッチの作動を検知し、異常発生と誤認しないようにするためである。
そこで、エレベータの制御盤（制御装置）には、この監視システムからエレベータを切り離す手動式の点検スイッチが存在する。作業員は、まず点検スイッチを入れて、制御盤から監視センターに異常信号が送信されない状態を確保してから、点検作業を行う。
エレベータの点検作業後は、この作業員が点検スイッチを切り、制御盤とエレベータ監視システムとの電気的な接続状態を回復させる。
【先行技術文献】
【特許文献】
【０００４】
【特許文献１】特開２０１４−４７０６４号公報
【発明の開示】
【発明が解決しようとする課題】
【０００５】
しかしながら、エレベータの点検終了後に、作業員が点検スイッチを切り忘れてしまい、制御盤からの信号送信が遮断状態で放置される不足の事態が発生する場合があった。その際には、エレベータ監視システムの運転モードへの復帰が遅れるといった問題が生じていた。
また、従来のエレベータ監視システムでは、制御盤の制御信号を監視センターへ送信する情報通信手段として、エレベータ専用に契約されるＰＨＳ（Ｐｅｒｓｏｎａｌ  Ｈａｎｄｙ−ｐｈｏｎｅ  Ｓｙｓｔｅｍ）が採用されていた。そのため、エレベータの維持管理に別途通信料がかかっていた。さらに、このＰＨＳは、２０２４年３月頃に廃止される予定であるため、ＰＨＳに代わる別の通信手段を確保する必要があった。
【０００６】
そこで、発明者は鋭意研究の結果、制御装置にエレベータを運転モードから点検モードに切り替える点検スイッチを設け、監視センターに点検スイッチがＯＮとなり運転モードから点検モードに切り替ってから所定時間経過後に点検スイッチをＯＦＦとする運転モード復帰信号を出力する運転モード復帰手段を設けるようにすれば、上述した課題は解消されることを知見し、この発明を完成させた。
また、発明者は鋭意研究の結果、エレベータの制御装置とインターネット回線とを、エレベータが設置された建造物のＬＡＮ（ＷｉＦｉ、有線ＬＡＮなど）を介して接続すれば、エレベータ側における監視システム専用の通信費が不要になることを知見し、この発明を完成させた。
【０００７】
すなわち、この発明は、エレベータの点検作業後、作業員が点検スイッチを切り忘れても、監視センターからの切替指令により自動で点検スイッチを切って運転モードに復帰させることができるエレベータ監視システムを提供することを目的としている。
また、この発明は、エレベータ側におけるこの監視システム専用の通信費を不要にすることができるエレベータ監視システムを提供することを目的としている。
【課題を解決するための手段】
【０００８】
請求項１に記載の発明は、エレベータの制御装置と、前記エレベータの運転状況を監視する監視センターのサーバとが、インターネット回線を通して接続されたエレベータ監視システムにおいて、前記制御装置は、前記エレベータを運転モードから点検モードに切り替える点検スイッチを有し、前記監視センターは、前記点検スイッチがＯＮとなり運転モードから点検モードに切り替ってから所定時間経過後に当該点検スイッチをＯＦＦとする運転モード復帰信号を出力する運転モード復帰手段を備えたエレベータ監視システムである。
【０００９】
エレベータの種類は限定されない。また、エレベータ監視システムにより監視されるエレベータの数も限定されない。
制御装置は、例えば、エレベータの機械室に配された制御盤に設けられ、ＣＰＵ（中央演算装置）を内蔵してエレベータ全体の制御を行う。
この機械室には、制御装置から送信された制御信号に基づき、エレベータの各種の運転状況を監視する監視装置が設けられている場合がある。この場合、監視装置は、インターネット回線に接続するための通信手段を含む通信端末の機能も果たす。例えば、制御装置から乗りかご内の操作盤に配された各種のスイッチの異常操作を検知した場合には、監視装置から監視センターに異常検知情報（信号）を送信する。
【００１０】
点検スイッチは、例えば、エレベータの機械室の制御盤に設けられて、制御装置からの各種のエレベータ運転情報（信号）が監視センターに送信される運転モード（スイッチＯＦＦ（切り）状態、通常モード、監視モード）と、各エレベータ運転情報が監視センターに送信されない点検モード（スイッチＯＮ（入り）状態）との切り替えを行うスイッチである。点検スイッチは、監視センターの運転モード復帰手段からの運転モード復帰信号を受けて、点検スイッチをＯＦＦとするスイッチ切り替え手段を有している。
【００１１】
具体的な点検スイッチとしては、機械室に監視装置がある場合、エレベータの制御装置と監視装置との通信を遮断または接続するスイッチとしてもよい。または、点検モードでは監視装置が検知したエレベータの異常検知情報を無効とし、運転モードでは異常検知情報を有効とするスイッチでもよい。
点検スイッチの種類は限定されない。例えば、ロッカースイッチ、トグルスイッチ、押しボタンスイッチ、タッチスイッチなどを採用することができる。
【００１２】
スイッチ切り替え手段は、手動式の点検スイッチを入り切り操作可能なものであれば任意である。例えば、ロッカースイッチ、トグルスイッチ、押しボタンスイッチなどの場合には、電磁石を利用したソレノイドなどを採用することができる。また、タッチスイッチの場合には、スイッチの自動ＯＦＦ回路などを採用することができる。
【００１３】
監視センターは、監視対象であるエレベータを搭載した建物の所在地から離れた場所に建築された施設等である。この監視センターにより監視されるのは、１つの建物の１つまたは複数のエレベータでも、複数の建物の１つまたは複数のエレベータでもよい。
監視センターには、インターネット回線に接続されたサーバを有している。
運転モード復帰手段は、このサーバに接続されている。運転モード復帰手段を作動することで、インターネット回線を介して、対応する点検スイッチ（スイッチ切り替え手段）に、運転モードへの切替指令である運転モード復帰信号を出力する。
【００１４】
運転モード復帰信号により点検スイッチをＯＦＦ操作する構成は任意である。例えば、運転モード復帰信号を監視装置に送信し、監視装置からの指令に基づき、点検スイッチをＯＦＦ操作してもよい。その他、制御装置に運転モード復帰信号を送信し、制御装置からの指令により点検スイッチをＯＦＦ操作してもよい。
サーバにはタイマが接続されている。タイマによって所定時間（例えば、３０分間、６０分間、９０分間、１２０分間など）が経過した後に、スイッチ切り替え手段が自動的に作動する。また、この所定時間経過後に、サーバから作業員が所持する携帯電話に自動接続し、点検終了したエレベータの点検スイッチが点検モードのままであることを通知するようにしてもよい。
【００１５】
また、請求項２に記載の発明は、前記エレベータの制御装置は、そのエレベータが設置された建造物のＬＡＮを介して前記インターネット回線に接続された請求項１に記載のエレベータ監視システムである。
建造物のＬＡＮの種類は任意である。例えば、建物に設置されたＷｉＦｉを採用することができる。その他、有線ＬＡＮでもよい。
【発明の効果】
【００１６】
請求項１に記載の発明によれば、エレベータの点検作業後、作業員が点検スイッチを切り忘れてしまい、制御装置からのエレベータの運転情報が監視センターに送信されない点検モードで放置された場合には、点検スイッチがＯＮとなり運転モードから点検モードに切り替ってから所定時間経過後に、運転モード復帰手段から点検スイッチをＯＦＦとする運転モード復帰信号が出力される。これにより、点検スイッチが運転モードに自動的に切り替わる。
その結果、エレベータ点検後、作業員が点検スイッチを切り忘れて現場から立ち去っても、作業員が現場に引き返すことなく、エレベータ監視システムをエレベータの監視が可能な運転モードに復帰させることができる。
【００１７】
特に、請求項２に記載の発明によれば、エレベータの制御装置とインターネット回線とを、エレベータが設置された建造物のＬＡＮ（ＷｉＦｉ、有線ＬＡＮなど）を介して接続するようにしたため、この通信にＰＨＳを採用していた従来は必要であった、エレベータ監視システム専用の通信費を不要にすることができる。
【図面の簡単な説明】
【００１８】
【図１】この発明の実施例１に係るエレベータ監視システムの概略構成図である。
【図２】この発明の実施例１に係るエレベータ監視システムのフローシートである。
【発明を実施するための形態】
【００１９】
以下、この発明の実施例を、図面を参照して具体的に説明する。ここでは、ビルに搭載されたエレベータを遠隔地の監視センターにより監視するエレベータ監視システムを例に説明する。
【実施例】
【００２０】
図１において、１０はこの発明の実施例１に係るエレベータ監視システムで、このエレベータ監視システム１０は、エレベータ１１の制御装置１２と、エレベータ１１の運転状況を監視する監視センター１３のサーバ１４とを、インターネット回線１５を通して接続したものである。
【００２１】
以下、これらの構成体を詳細に説明する。
エレベータ１１は、ビル（建造物）１６の各階の一部を貫通して形成された昇降路１７に収納された乗りかご１８と、乗りかご１８を昇降させる昇降装置１９とを有している。
昇降装置１９は、釣り合いウエイト２０が一端に連結されて、他端に乗りかご１８が吊下されたメインロープ２１と、メインロープ２１が巻き掛けられた綱車２２と、ガイドローラ２３とを含み、制御装置１２が綱車２２を回転制御することにより、エレベータ１１の昇降を制御する。
【００２２】
ビル１６の屋上には、昇降路１７の近傍に機械室２４が設けられている。機械室２４には、エレベータ１１の運転を制御する制御盤２５が設けられている。制御盤２５には、前記制御装置１２が設置されている。乗りかご１８に設けられている操作盤（図示せず）は、移動ケーブル２６を介して制御装置１２と接続されている。利用者が操作盤のボタンを押すことで、行き先階などの情報が制御装置１２に送信される。
制御装置１２には、エレベータ１１を通常の運転モードから、点検時の点検モードに切り替える押しボタン式の点検スイッチ２７が電気的に接続されている。点検モードでは、エレベータ１１の制御装置１２と監視装置２８との通信が遮断される。
点検スイッチ２７には、スイッチＯＮの点検モードから、スイッチＯＦＦの運転モードに切り替えるスイッチ切り替え手段としてのソレノイド２９が内蔵されている。ソレノイド２９は、監視装置２８と電気的に接続されている。
【００２３】
監視装置２８は、機械室２４内の制御盤２５の近くに配されて、光ケーブルにより制御装置１２と接続されている。監視装置２８は、制御装置１２から送信されたエレベータ１１の運転制御に係わる様々な制御信号を受信し、これらの制御信号を分析してエレベータ１１の運転が正常に行われているかどうかを監視する。
この監視装置２８は、通信端末の機能も有しており、インターネット回線１５を介して、管轄管理下にある各所のエレベータ１１の運転状況を集中的に監視する監視センター１３のサーバ１４に接続されている。この監視センター１３は、エレベータ１１を搭載したビル１６から離れた遠隔地に建造されている。
監視装置２８とインターネット回線１５とは、前記ビル１６に装備された図示しないモデムおよび無線ルータを介して、無線情報通信手段のＷｉＦｉ３０によって接続されている。なお、ＷｉＦｉ３０に代えて有線ＬＡＮでもよい。
【００２４】
監視センター１３のサーバ１４は、本体であるＣＰＵ（中央演算装置）３１を有している。このＣＰＵ３１には、インターネット回線１５に接続されて、監視装置２８との間で各種の情報を送受信する通信手段３２と、監視センター１３の卓上に配されたエレベータ監視用のパソコン３３と、インターネット回線１５を介して、点検スイッチ２７がＯＮとなり運転モードから点検モードに切り替ってから９０分間の経過後に、点検スイッチ２７をＯＦＦにする運転モード復帰信号をソレノイド２９に発信する運転モード復帰手段３４と、タイマ３５とが接続されている。
監視員は、パソコン３３のモニタ画面に表示された監視装置２８からの情報を見ながら、リアルタイムでエレベータ１１の運転状況を把握することができる。例えば、エレベータ１１が故障して運転が停止した時、インターネット回線１５を介して、監視装置２８から監視センター１３へ異常発生の情報が送信される。その場合、監視員は、故障したエレベータ１１の保守を担当する作業員に連絡し、作業員が現場に急行することになる。
【００２５】
次に、図２のフローシートを参照して、この発明の実施例１に係るエレベータ監視システム１０におけるエレベータ１１の点検作業について説明する。
まず、エレベータ１１の点検作業を開始する際には、現場の機械室２４に到着した作業員が、所有する携帯電話（図示せず）を使用して監視センター１３の監視員とメールで連絡をとり、これからエレベータ１１の点検作業を行う旨を報告する。
【００２６】
その後、作業員は点検スイッチ２７をＯＮ操作する。これにより、エレベータ１１の制御装置１２と監視装置２８との通信が遮断され、エレベータ１１のモードは運転モードから点検モードに切り替わる。その結果、運転モード時に、ＷｉＦｉ３０およびインターネット回線１５を介して、監視装置２８からサーバ１４へ送信されていたエレベータ１１の運転制御に係わる各種の情報が伝達されなくなる。なお、点検スイッチ２７をＯＮとした時、タイマ３５が作動する。
この点検作業中、エレベータ監視システム１０は作動しないものの、監視装置２８などから点検作業中であることがあらかじめ監視センター１３に報知されているため、監視センター１３で問題になることはない。その後、エレベータ１１では所定の点検作業が行われる。
【００２７】
エレベータ１１の点検作業の終了後は、作業員は監視装置２８と制御装置１２とを接続状態に復帰させるため、点検スイッチ２７をＯＦＦ操作する。
点検スイッチ２７がＯＦＦに切り替わることで、ＷｉＦｉ３０およびインターネット回線１５を介して、監視装置２８からサーバ１４に、エレベータ１１の運転制御に係わる各種の運転情報が送信される。
監視センター１３のサーバ１４が、これらの運転情報を受信することで、エレベータ１１の運転が監視センター１３の監視下に置かれ、通常の点検作業でのフローは終了する。
【００２８】
次に、同じく図２のフローシートを参照して、エレベータ１１の点検作業後、作業員が点検スイッチ２７を切り忘れた場合について説明する。
エレベータ１１の点検作業が終了した後、作業員が点検スイッチ２７のＯＦＦ操作を忘れた場合には、点検スイッチ２７をＯＮとしてから９０分間が経過したかをタイマ３５によって計測する。９０分間の経過後も、サーバ１４が監視装置２８からの運転情報を受信していなければ、ＣＰＵ３１の指令によりパソコン３３のディスプレイ３３ａにその旨の警告文が表示される。
【００２９】
これを視認した監視員は、パソコン３３を利用して作業員の携帯電話にメールで連絡し、点検作業が終了したかを問い合わせる。仮に、点検作業が未終了の返信メールがあった場合には９０分間の待機状態を延長し、また点検作業は終了済みの返信メールがあった場合には、監視員はパソコン３３のキーボード３３ｂより入力して運転モード復帰手段３４を作動させる。これにより、運転モード復帰手段３４から運転モード復帰信号が、通信手段３２、インターネット回線１５を介してエレベータ１１側へ送信され、その後、ＷｉＦｉ３０を経て監視装置２８へと送られる。これを受けた監視装置２８は、ソレノイド２９に対して点検スイッチ２７をＯＦＦ操作する指令を発する。これにより、点検スイッチ２７がＯＦＦとなり、エレベータ１１は通常の運転モードとなる。
【００３０】
このように、エレベータ１１の点検作業後、作業員が点検スイッチ２７を切り忘れてしまい、制御装置１２からのエレベータ１１の運転情報が監視センター１３に送信されない点検モードで放置された場合でも、監視センター１３からの遠隔操作により、点検スイッチ２７を自動で運転モードに切り替えることができる。
また、エレベータ１１の監視装置（制御装置１２）２８とインターネット回線１５とを、ビル１６に配備されたＷｉＦｉ３０を利用して接続するため、この通信にＰＨＳを採用していた従来は必要であった、エレベータ監視システム専用の通信費を不要にすることができる。
【産業上の利用可能性】
【００３１】
この発明は、エレベータの運転状況を遠隔地で監視するエレベータ監視システムの技術として有用である。
【符号の説明】
【００３２】
１０  エレベータ監視システム、
１１  エレベータ、
１２  制御装置、
１３  監視センター、
１４  サーバ、
１５  インターネット回線、
１６  ビル（建造物）、
２７  点検スイッチ、
３０  ＷｉＦｉ（ＬＡＮ）、
３４  運転モード復帰手段。
【図１】
2020011808.tif 000003
【図２】
2020011808.tif 000004